【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
区分対象物の画像に含まれる区分情報を認識する認識処理を行う第１認識部と、
前記第１認識部とは異なる認識処理によって、前記区分対象物の画像に含まれる前記区分情報を認識する第２認識部と、
前記区分対象物の画像をコーディングシステムに出力し、前記コーディングシステムから打鍵入力される打鍵情報としての当該区分対象物の区分情報を取得するインターフェースと、
前記打鍵情報を正解とした場合の前記第１認識部の認識結果と前記第２認識部の認識結果とを集計処理する認識制御部と、
を備える区分装置。
【請求項２】
前記認識制御部は、集計処理した集計結果に基づいて第１認識部の認識処理を第２認識部の認識処理に切り替えるか否かを判断する、
請求項１に記載の区分装置。
【請求項３】
前記認識制御部は、前記第１認識部または前記前記第２認識部の何れかが認識不可である場合、あるいは、前記第１認識部の認識結果と前記第２認識部の認識結果とが不一致の場合、前記区分対象物の画像をコーディングシステムに出力して前記コーディングシステムから打鍵情報を取得する、
請求項１又は２何れか１項に記載の区分装置。
【請求項４】
前記認識制御部は、前記第２認識部の誤読率が前記第１認識部の誤読率よりも低いと判定した場合、前記第１認識部の認識処理を前記第２認識部の認識処理に切り替えると判断する、
請求項２又は３の何れか１項に記載の区分装置。
【請求項５】
前記認識制御部は、前記第１認識部の認識処理を前記第２認識部の認識処理に切り替えると判断した場合、前記第１認識部の認識処理に設定するパラメータを前記第２認識部の認識処理に設定されたパラメータに更新する、
請求項２乃至４の何れか１項に記載の区分装置。
【請求項６】
さらに、サーバ装置と通信ネットワークを介して通信する通信部を有し、
前記認識制御部は、前記通信部を介して前記サーバ装置から前記第２認識部の更新用の設定データを取得した場合、前記設定データに基づいて前記第２認識部を更新する、
請求項１乃至５の何れか１項に記載の区分装置。
【請求項７】
前記認識制御部は、前記第１認識部の認識処理を前記第２認識部の認識処理に切り替えた場合、前記通信部を介して前記サーバ装置へ前記第１認識部の認識処理を前記第２認識部の認識処理に切替えた旨を通知する、
請求項６に記載の区分装置。
【請求項８】
前記認識制御部は、前記通信部を介して前記サーバ装置から受信する認識処理の切替要求に応じて、前記第１認識部の認識処理を前記第２認識部の認識処理に切り替える、
請求項６又は７の何れか１項に記載の区分装置。
【請求項９】
区分装置とサーバ装置とを有する区分システムにおいて、
前記区分装置は、
区分対象物の画像に含まれる区分情報を認識する認識処理を行う第１認識部と、
前記サーバ装置と通信ネットワークを介して通信する第１の通信部と、
前記区分対象物の画像をコーディングシステムに出力し、前記コーディングシステムから打鍵入力される打鍵情報としての当該区分対象物の区分情報を取得するインターフェースと、
前記第１認識部の認識処理とは異なる第２の認識処理による前記区分対象物の画像に含まれる前記区分情報の認識を前記サーバ装置へ依頼して前記サーバ装置から前記第２の認識処理の認識結果を取得し、前記打鍵情報を正解とした場合の前記第１認識部の認識結果と前記第２の認識処理の認識結果とを集計処理する認識制御部と、を有し、
前記サーバ装置は、
前記区分装置と通信ネットワークを介して通信する第２の通信部と、
前記区分装置からの依頼に応じて前記第１認識部とは異なる第２の認識処理によって前記区分対象物の画像に含まれる前記区分情報を認識し、前記第２の認識処理による認識結果を前記区分装置へ送信する制御部と、を有する、
区分システム。
【手続補正２】
【補正対象書類名】明細書
【補正対象項目名】０００６
【補正方法】変更
【補正の内容】
【０００６】
実施形態によれば、区分装置は、第１認識部と第２認識部とインターフェースと認識制御部とを備える。第１認識部は、区分対象物の画像に含まれる区分情報を認識する認識処理を行う。第２認識部は、前記第１認識部とは異なる認識処理によって、前記区分対象物の画像に含まれる前記区分情報を認識する。インターフェースは、前記区分対象物の画像をコーディングシステムに出力し、前記コーディングシステムから打鍵入力される打鍵情報としての当該区分対象物の区分情報を取得する。認識制御部は、前記打鍵情報を正解とした場合の前記第１認識部の認識結果と前記第２認識部の認識結果とを集計処理する。
【手続補正３】
【補正対象書類名】明細書
【補正対象項目名】０１３５
【補正方法】変更
【補正の内容】
【０１３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下、本願の出願当初の特許請求の範囲に記載した内容を付記する。
［１］
区分対象物の画像に含まれる区分情報を認識する認識処理を行う第１認識部と、
前記第１認識部とは異なる認識処理によって、前記区分対象物の画像に含まれる前記区分情報を認識する第２認識部と、
前記区分対象物の画像をコーディングシステムに出力し、前記コーディングシステムから打鍵入力される打鍵情報としての当該区分対象物の区分情報を取得するインターフェースと、
前記打鍵情報を正解とした場合の前記第１認識部の認識結果と前記第２認識部の認識結果との集計結果に基づいて第１認識部の認識処理を第２認識部の認識処理に切り替えるか否かを判断する認識制御部と、
を備える区分装置。
［２］
前記認識制御部は、前記第１認識部または前記前記第２認識部の何れかが認識不可である場合、あるいは、前記第１認識部の認識結果と前記第２認識部の認識結果とが不一致の場合、前記区分対象物の画像をコーディングシステムに出力して前記コーディングシステムから打鍵情報を取得する、
［１］に記載の区分装置。
［３］
前記認識制御部は、前記第２認識部の誤読率が前記第１認識部の誤読率よりも低いと判定した場合、前記第１認識部の認識処理を前記第２認識部の認識処理に切り替えると判断する、
［１］又は［２］の何れかに記載の区分装置。
［４］
前記認識制御部は、前記第１認識部の認識処理を前記第２認識部の認識処理に切り替えると判断した場合、前記第１認識部の認識処理に設定するパラメータを前記第２認識部の認識処理に設定されたパラメータに更新する、
［１］乃至［３］の何れか１つに記載の区分装置。
［５］
さらに、サーバ装置と通信ネットワークを介して通信する通信部を有し、
前記認識制御部は、前記通信部を介して前記サーバ装置から前記第２認識部の更新用の設定データを取得した場合、前記設定データに基づいて前記第２認識部を更新する、
［１］乃至［４］の何れか１つに記載の区分装置。
［６］
前記認識制御部は、前記第１認識部の認識処理を前記第２認識部の認識処理に切り替えた場合、前記通信部を介して前記サーバ装置へ前記第１認識部の認識処理を前記第２認識部の認識処理に切替えた旨を通知する、
［５］に記載の区分装置。
［７］
前記認識制御部は、前記通信部を介して前記サーバ装置から受信する認識処理の切替要求に応じて、前記第１認識部の認識処理を前記第２認識部の認識処理に切り替える、
［５］又は［６］の何れかに記載の区分装置。
［８］
区分装置とサーバ装置とを有する区分システムにおいて、
前記区分装置は、
区分対象物の画像に含まれる区分情報を認識する認識処理を行う第１認識部と、
前記サーバ装置と通信ネットワークを介して通信する第１の通信部と、
前記区分対象物の画像をコーディングシステムに出力し、前記コーディングシステムから打鍵入力される打鍵情報としての当該区分対象物の区分情報を取得するインターフェースと、
前記第１認識部の認識処理とは異なる第２の認識処理による前記区分対象物の画像に含まれる前記区分情報の認識を前記サーバ装置へ依頼して前記サーバ装置から前記第２の認識処理の認識結果を取得し、前記打鍵情報を正解とした場合の前記第１認識部の認識結果と前記第２の認識処理の認識結果との集計結果に基づいて前記第１認識部の認識処理を前記第２の認識処理に切り替えるか否かを判断する認識制御部と、を有し、
前記サーバ装置は、
前記区分装置と通信ネットワークを介して通信する第２の通信部と、
前記区分装置からの依頼に応じて前記第１認識部とは異なる第２の認識処理によって前記区分対象物の画像に含まれる前記区分情報を認識し、前記第２の認識処理による認識結果を前記区分装置へ送信する制御部と、を有する、
区分システム。